(57)【要約】【課題】保温の動作状態を表示する表示手段を有するジャー炊飯器において、保温中の詳細な工程や工程時間をリアルタイムに表示手段に表示し、現在の詳細な保温状況を容易に確認できるようにする。【解決手段】保温の動作状態を表示する表示手段１７と、経過時間を計測する時間計測手段１４とを有し、操作手段１３に設けた開始スイッチ１２により保温を開始して、制御手段１１により保温動作を制御する。制御手段１１は、保温中の工程あるいは工程時間をリアルタイムに表示手段１７に表示する構成とする。【選択図】　図１
2004024647.tif 000002
【特許請求の範囲】
【請求項１】
保温の動作状態を表示する表示手段と、保温を開始させる開始スイッチを有する操作手段と、経過時間を計測する時間計測手段と、保温動作を制御する制御手段とを備え、前記制御手段は、保温中の工程あるいは工程時間をリアルタイムに前記表示手段に表示する構成としたジャー炊飯器。
【請求項２】
鍋温度または内蓋温度を検知する温度検知手段を備え、制御手段は、保温中の前記温度検知手段により検知した温度をリアルタイムに表示手段に表示する構成とした請求項１記載のジャー炊飯器。
【請求項３】
表示手段に表示する内容を選択する表示選択手段を備え、保温中に表示手段に表示する内容を前記表示選択手段により選択する構成とした請求項１または２記載のジャー炊飯器。
【請求項４】
表示手段の表示を切り換える表示切換手段を備え、保温中に表示手段に表示させる必要がないときには、前記表示切換手段により表示させない構成とした請求項１〜３のいずれか１項に記載のジャー炊飯器。
【請求項５】
炊飯内容を記憶する記憶手段を備え、保温中の各工程時間、あるいは各工程における最高温度または最低温度を前記記憶手段に記憶する構成とした請求項１〜４のいずれか１項に記載のジャー炊飯器。
【発明の詳細な説明】
【０００１】
【発明の属する技術分野】
本発明は、保温の動作状態を表示する表示手段を有するジャー炊飯器に関するものである。
【０００２】
【従来の技術】
従来、この種のジャー炊飯器は図７に示すように構成していた。以下、その構成について説明する。
【０００３】
図７に示すように、制御手段１はマイクロコンピュータを有し、保温を開始させる開始スイッチ２を有する操作手段３を制御手段１に入力している。時間計測手段４は経過時間を計測するもので、計測結果を制御手段１に入力している。表示手段７は保温の動作状態を表示するもので、液晶や発光ダイオードなどで構成し、その表示内容は保温経過時間や大くくりにされた工程などを表示している。
【０００４】
図８は、表示手段７への表示内容の一例を示しており、図８に示すように、大くくりにされた工程Ｍから工程Ｐと、現在時刻などが表示されている。
【０００５】
制御手段１は、加熱手段５を制御して鍋６を加熱するよう構成している。
【０００６】
上記構成において動作を説明する。保温を開始するとき、開始スイッチ２により炊飯を開始し、加熱手段７を制御して鍋８を加熱し、保温する。
【０００７】
【発明が解決しようとする課題】
このような従来のジャー炊飯器では、現在、保温中の工程や、その工程の経過時間を大まかな表示しかしておらず、詳細な炊飯内容を知ることが困難であった。
【０００８】
本発明は上記課題を解決するもので、保温中の詳細な工程や工程時間をリアルタイムに表示手段に表示し、現在の詳細な保温状況を容易に確認できるようにすることを目的としている。
【０００９】
【課題を解決するための手段】
本発明は上記目的を達成するために、保温の動作状態を表示する表示手段と、経過時間を計測する時間計測手段とを有し、操作手段に設けた開始スイッチにより保温を開始して、制御手段により保温動作を制御するよう構成し、制御手段は、保温中の工程あるいは工程時間をリアルタイムに表示手段に表示する構成としたものである。
【００１０】
これにより、保温中の詳細な工程や工程時間をリアルタイムに表示手段に表示でき、現在の詳細な保温状況を容易に確認することができる。
【００１１】
【発明の実施の形態】
本発明の請求項１に記載の発明は、保温の動作状態を表示する表示手段と、保温を開始させる開始スイッチを有する操作手段と、経過時間を計測する時間計測手段と、保温動作を制御する制御手段とを備え、前記制御手段は、保温中の工程あるいは工程時間をリアルタイムに前記表示手段に表示する構成としたものであり、保温中の詳細な工程や工程時間をリアルタイムに表示手段に表示でき、現在の詳細な保温状況を容易に確認することができる。
【００１２】
請求項２に記載の発明は、上記請求項１に記載に発明において、鍋温度または内蓋温度を検知する温度検知手段を備え、制御手段は、保温中の前記温度検知手段により検知した温度をリアルタイムに表示手段に表示する構成としたものであり、保温中の温度検知手段による検知結果である温度をリアルタイムに表示手段に表示することで、保温状況を一目見てさらに詳細に知ることができる。
【００１３】
請求項３に記載の発明は、上記請求項１または２に記載に発明において、表示手段に表示する内容を選択する表示選択手段を備え、保温中に表示手段に表示する内容を前記表示選択手段により選択する構成としたものであり、保温中に表示手段に表示する内容を表示選択手段により選択することで、表示選択手段により必要な情報だけを選択し、表示手段でリアルタイムに確認することができる。
【００１４】
請求項４に記載の発明は、上記請求項１〜３に記載に発明において、表示手段の表示を切り換える表示切換手段を備え、保温中に表示手段に表示させる必要がないときには、前記表示切換手段により表示させない構成としたものであり、表示選択手段による選択結果などで、保温中に表示手段に表示させる必要がないときには、表示切換手段により表示させないことで、不必要な表示を消すことができ、表示する必要のないときや他の人に表示内容を見せたくないときには表示しないようにできる。
【００１５】
請求項５に記載の発明は、上記請求項１〜４に記載に発明において、炊飯内容を記憶する記憶手段を備え、保温中の各工程時間、あるいは各工程における最高温度または最低温度を前記記憶手段に記憶する構成としたものであり、記憶手段の記憶内容を参照することで、保温内容を詳細に把握することができる。
【００１６】
【実施例】
以下、本発明の実施例について、図面を参照しながら説明する。
【００１７】
（実施例１）
図１に示すように、制御手段１はマイクロコンピュータを有し、保温を開始させる開始スイッチ１２を有する操作手段１３を制御手段１１に入力している。時間計測手段１４は経過時間を計測するもので、計測結果を制御手段１１に入力している。ここで、ジャー炊飯器の場合、開始スイッチ１２を押さなくても炊飯終了時に自動的に保温が開始してもいい。
【００１８】
制御手段１１は、加熱手段１５を制御して鍋１６を加熱するよう構成している。ここで、加熱手段１５は、鍋１６を加熱する加熱ヒータでもよく、また、鍋１６を誘導加熱する加熱コイルであってもよい。
【００１９】
表示手段１７は保温の動作状態を表示するもので、液晶や発光ダイオードなどで構成し、保温中の詳細な工程を表示する工程表示部１８、工程時間を表示する工程時間表示部１９などを有している。図２は、表示手段１７における表示内容の一例を示す。図２に示すように、従来例のような大くくりにされた工程表示ではなく、工程Ａから工程Ｌまでの詳細な工程を工程表示部１８により表示し、工程時間表示部１９により工程時間と現工程の経過時間を表示している。
【００２０】
上記構成において動作を説明する。保温を開始するとき、開始スイッチ１２により保温を開始する。保温開始後、制御手段１１は、従来の大まかな工程や工程時間の表示ではなく、保温中の詳細な工程や工程時間を工程表示部１８と工程時間表示部１９にリアルタイムに表示する。
【００２１】
したがって、使用者は、工程表示部１８と工程時間表示部１９とにより、詳細な工程と工程時間をリアルタイムで確認することができる。そして、例えば、保温したご飯がうまくないといった問題が発生した場合には、保温量を判定する合数判定工程を通らなかったりするので、詳細な工程と工程時間をモニターし、詳細な保温内容の解析を行うことで、どの原因によって、保温したご飯がおいしくないのかを、現場で解析・対策を行うことができる。その結果、問題発生時にすばやい対応・対策が可能となり、それを商品にフィードバックすることで、品質のさらなる向上を実現することができる。
【００２２】
（実施例２）
図３に示すように、温度検知手段２０は鍋１６の温度あるいは内蓋（図示せず）の温度を検知するもので、その出力を制御手段２１に入力している。制御手段２１は、保温中の温度検知手段２０により検知した温度を表示手段２２に設けた温度表示部２３にリアルタイムに表示する構成としている。他の構成は上記実施例１と同じであり、同一符号を付して説明を省略する。
【００２３】
上記構成において動作を説明する。保温開始後、制御手段１１は、保温中の詳細な工程やその工程時間を工程表示部１８と工程時間表示部１９に表示するのに加えて、温度検知手段２０による検知結果、すなわち、温度を温度表示部２３にリアルタイムに表示する。
【００２４】
したがって、使用者は、保温工程やその工程時間に加えて、温度を表示手段２２により容易に確認することができ、保温状況をさらに詳細に知ることができる。その結果、例えば、問題発生時の詳細な解析をモニターしながら、現場で行うことができ、いち早くその原因対策等を実施することができ、ひいては、品質のさらなる向上を実現することができる。
【００２５】
（実施例３）
図４に示すように、表示選択手段２４は、表示手段２２に表示する内容を選択するものであり、その出力を制御手段２５に入力し、保温中に表示手段２２に表示する内容を表示選択手段２４により選択する構成としている。他の構成は上記実施例２と同じであり、同一符号を付して説明を省略する。
【００２６】
上記構成において動作を説明する。保温を開始するとき、工程、工程時間、温度を表示する工程表示部１８、工程時間表示部１９、温度表示部２３の内、表示手段２２に表示する内容を表示選択手段２４により選択して、開始スイッチ１２により保温を開始する。保温開始後、制御手段２５は、表示選択手段２４による選択結果を表示手段２２にリアルタイムに表示する。
【００２７】
したがって、使用者は、必要な情報だけを表示選択手段２４により選択し、表示手段２２でリアルタイムに確認することができる。その結果、表示手段２２には必要な情報のみをわかりやすく表示することができ、表示内容を誤って読み取るといったことを防ぐことができ、より精度の高い、モニタリングを実現することができる。
【００２８】
（実施例４）
図５に示すように、表示切換手段２６は、表示手段１７の表示のオンオフを切換えるものであり、その出力を制御手段２７に入力し、保温中に表示手段１７に表示させる必要がないときには、表示切換手段２６により表示させない構成としている。他の構成は上記実施例１と同じであり、同一符号を付して説明を省略する。
【００２９】
上記構成において動作を説明する。制御手段２７は、表示切換手段２６により、保温中の表示手段１７に表示されている工程表示部１８、工程時間表示部１９、温度表示部２３の表示のオンオフを切換えることができる。また、表示切換手段２６は保温開始前に有効であるが、保温開始後においても有効である。
【００３０】
したがって、使用者は、表示切換手段２６により表示を消すことができ、表示する必要のないときや他の人に表示内容を見せたくないときには非常に有効である。また、表示切換手段２６は保温中にも有効であるので、保温途中で表示を切換えることができ、見せたい情報だけを見せるといったことも可能である。
【００３１】
（実施例５）
図６に示すように、記憶手段２８は、制御手段２９により保温内容を記憶するもので、保温中の各工程時間、あるいは各工程における最高温度または最低温度を記憶手段２８に記憶する構成としている。他の構成は上記実施例１と同じであり、同一符号を付して説明を省略する。
【００３２】
上記構成において動作を説明する。記憶手段２８は、保温中の各工程時間、あるいは各工程における最高温度または最低温度を記憶する。そして、記憶手段２８に記憶された内容を参照することができる。
【００３３】
使用者は、記憶手段２８の記憶内容を参照することで、保温内容を詳細に把握することができ、ジャー炊飯器がいわば温度記録計の役目を果たすことができる。つまり、ジャー炊飯器１台あれば動作状態の解析から記録を詳細に実施でき、計測器付きのジャー炊飯器として使用することができる。したがって、計測器の追加なしで、問題発生時の解析用ツールとして活用することができる。
【００３４】
【発明の効果】
以上のように本発明の請求項１に記載の発明によれば、保温の動作状態を表示する表示手段と、保温を開始させる開始スイッチを有する操作手段と、経過時間を計測する時間計測手段と、保温動作を制御する制御手段とを備え、前記制御手段は、保温中の工程あるいは工程時間をリアルタイムに前記表示手段に表示する構成としたから、保温中の詳細な工程や工程時間をリアルタイムに表示手段に表示でき、現在の詳細な保温状況を容易に確認することができ、詳細な保温状況を一目見て知ることができる。
【００３５】
また、請求項２に記載の発明によれば、鍋温度または内蓋温度を検知する温度検知手段を備え、制御手段は、保温中の前記温度検知手段により検知した温度をリアルタイムに表示手段に表示する構成としたから、保温中の工程やその工程の経過時間に加えて、温度を表示手段により容易に確認することができ、さらに詳細な保温状況を一目見て知ることができる。
【００３６】
また、請求項３に記載の発明によれば、表示手段に表示する内容を選択する表示選択手段を備え、保温中に表示手段に表示する内容を前記表示選択手段により選択する構成としたから、保温中に表示手段に表示する内容を表示選択手段により選択することで、表示選択手段により必要な情報だけを選択し、表示手段に必要な情報のみをわかりやすく表示することができる。
【００３７】
また、請求項４に記載の発明によれば、表示手段の表示を切り換える表示切換手段を備え、保温中に表示手段に表示させる必要がないときには、前記表示切換手段により表示させない構成としたから、表示選択手段による選択結果などで、保温中に表示手段に表示させる必要がないときには、表示切換手段により表示させないことで、不必要な表示を消すことができ、表示する必要のないときや他の人に表示内容を見せたくないときには表示しないようにできる。
【００３８】
また、請求項５に記載の発明によれば、炊飯内容を記憶する記憶手段を備え、保温中の各工程時間、あるいは各工程における最高温度または最低温度を前記記憶手段に記憶する構成としたから、記憶手段の記憶内容を参照することで、保温内容を詳細に把握することができる。
【図面の簡単な説明】
【図１】本発明の第１の実施例のジャー炊飯器のブロック図
【図２】同ジャー炊飯器の表示手段での表示内容の一例を示す図
【図３】本発明の第２の実施例のジャー炊飯器のブロック図
【図４】本発明の第３の実施例のジャー炊飯器のブロック図
【図５】本発明の第４の実施例のジャー炊飯器のブロック図
【図６】本発明の第５の実施例のジャー炊飯器のブロック図
【図７】従来のジャー炊飯器のブロック図
【図８】同ジャー炊飯器の表示手段での表示内容の一例を示す図
【符号の説明】
１１　制御手段
１２　開始スイッチ
１３　操作手段
１４　時間計測手段
１７　表示手段
【図１】
2004024647.tif 000003
【図２】
2004024647.tif 000004
【図３】
2004024647.tif 000005
【図４】
2004024647.tif 000006
【図５】
2004024647.tif 000007
【図６】
2004024647.tif 000008
【図７】
2004024647.tif 000009
【図８】
2004024647.tif 000010